(57)【要約】      （修正有）【課題】撮影シーンに応じ濃度補正を行う時、写真フィルムの種類だけの対応でなく、より多い撮影シーンに対応できる画像補正装置を提供する。【解決手段】現像済み写真フィルムをスキャニングし、デジタル画像データを得る画像データ取得手段２と得れた画像データの撮影シーンを濃度値に基づき判断する撮影シーン判断手段４とこの撮影シーン判断手段の結果で画像データに濃度補正する画像濃度補正手段５と写真フィルムの種類毎に濃度値の異る撮影シーン毎に複数のモデル画像データと各モデル画像データに設定した濃度補正値を設定登録可能にする濃度補正値登録手段８と画像濃度補正手段５の補正に先立ち写真フィルムの種類選択後、濃度補正対象とするモデル画像データを標準モデル画像とし選択するモデル画像選択手段１２を備え、画像濃度補正手段５は選択されたモデル画像データに設定された濃度補正値に基づき、取得した画像データに対する濃度補正を行う。【選択図】図１
2006186785.tif 000002
【特許請求の範囲】
【請求項１】
現像済み写真フィルムをスキャニングして、デジタルの画像データを取得する画像データ取得手段と、
取得された画像データの撮影シーンを濃度値に基づいて判断する撮影シーン判断手段と、
この撮影シーン判断手段による判断結果に基づいて、画像データに対する濃度補正を行う画像濃度補正手段と、
写真フィルムの種類毎に、濃度値の異なる撮影シーン毎に複数のモデル画像データと、各モデル画像データに対して設定した濃度補正値とを設定登録可能にさせるための濃度補正値登録手段と、
前記画像濃度補正手段による補正を行うに先立ち、写真フィルムの種類を選択した後、濃度補正の対象とすべきモデル画像データを標準モデル画像として選択するモデル画像選択手段とを備え、
前記画像濃度補正手段は、選択された標準モデル画像データに対して設定されている濃度補正値に基づいて、取得した画像データに対する濃度補正を行うことを特徴とする画像補正装置。
【請求項２】
モデル画像データを新規に登録するために、前記画像データ取得手段を動作させて、現像済み写真フィルムから画像データを取得するスキャニング起動手段と、
取得した画像データをモニター画面上に表示させる登録対象画像表示手段と、
表示される画像の中からモデル画像データとして登録する画像を選択するための登録画像選択手段と、
前記選択したモデル画像データに対して濃度補正値を設定するための補正値設定手段とを備えていることを特徴とする請求項1に記載の画像補正装置。
【請求項３】
撮影シーンは、オーバー露光画像、ノーマル画像、アンダー露光画像であることを特徴とする請求項１又は２に記載の画像補正装置。
【発明の詳細な説明】
【技術分野】
【０００１】
本発明は、オーバー露光やアンダー露光などの撮影シーンに対応した濃度補正を行うことができる画像補正装置に関するものである。
【背景技術】
【０００２】
現像済み写真フィルムに形成されているコマ画像をフィルムスキャナーにより読み取ってデジタルの画像データを取得し、これに基づいて写真プリントの作成や記憶メディアへの書き込みを行う写真処理システムが知られている。この場合、写真プリントの作成等を行う前に、一旦モニター画面に画像を表示させ、適切な画質で写真プリントを作成できるか否かを判断するようにしている。これをプレジャッジ作業と称している。かかる場合、写真フィルムにより撮影された画像には、オーバー露光やアンダー露光のように露光が適正でない状態の画像も存在する。このような画像をそのままの状態でモニター画面に表示させることは好ましくないので、予め、撮影シーン（オーバー撮影シーンかアンダー撮影シーンか等）を濃度値で判断し、濃度補正（露光補正：カラー画像の場合、全体の濃度だけでなくＹＭＣ色データの個別の補正を含む）をした上でモニター画面に表示させるようにしている。このような濃度補正は、前述したプレジャッジ作業を行うときに、オペレータによる手動操作で行うことも可能であるが、補正値が大きくなることもあり、作業の煩雑性が増す。従って、予めある程度、自動的に補正をした上で、モニター画面に表示させるほうが好ましい（例えば、下記特許文献１を参照）。このような補正は、スキャナースロープ補正とも呼ばれている。
【０００３】
このような濃度補正は、写真フィルムに特有であり、写真フィルムの種類（メーカーやサイズなど）が異なると、補正値も異ならせる必要がある。従って、写真フィルムからコマ画像を読み取る場合には、その写真フィルムの種類に対応した濃度補正値を使用する必要がある。すなわち、予め、写真フィルムの種類毎に、撮影シーンに対応した濃度補正値を登録しておき、写真フィルムからコマ画像を読み取るときに、予め登録している濃度補正値を読み出して、これに基づいて濃度補正を行い、モニター画面に表示させる。
【０００４】
しかしながら、写真フィルムの種類に応じて登録される濃度補正値が１種類しかない場合（例えば、アンダー撮影シーンについて１種類、オーバー撮影シーンについて１種類）、次のような問題が生じる。例えば、同じオーバー撮影シーンであっても、光源の種類が太陽光かタングステン光かによって、濃度補正値は異ならせたほうが好ましい。その理由は、光源の色温度等の特性が画質に反映されるからである。また、写真店としての独自性を出すため、撮影シーンの種類により、異なる濃度補正値を種々登録しておきたいという要望もある。
【特許文献１】特開２００１−１３６３９７号公報
【発明の開示】
【発明が解決しようとする課題】
【０００５】
本発明は上記実情に鑑みてなされたものであり、その課題は、撮影シーンに応じた濃度補正を行うに際して、写真フィルムの種類だけの対応ではなく、さらに多様な撮影シーンに対応することができる画像補正装置を提供することである。
【課題を解決するための手段】
【０００６】
上記課題を解決するため本発明に係る画像補正装置は、
現像済み写真フィルムをスキャニングして、デジタルの画像データを取得する画像データ取得手段と、
取得された画像データの撮影シーンを濃度値に基づいて判断する撮影シーン判断手段と、
この撮影シーン判断手段による判断結果に基づいて、画像データに対する濃度補正を行う画像濃度補正手段と、
写真フィルムの種類毎に、濃度値の異なる撮影シーン毎に複数のモデル画像データと、各モデル画像データに対して設定した濃度補正値とを設定登録可能にさせるための濃度補正値登録手段と、
前記画像濃度補正手段による補正を行うに先立ち、写真フィルムの種類を選択した後、濃度補正の対象とすべきモデル画像データを標準モデル画像として選択するモデル画像選択手段とを備え、
前記画像濃度補正手段は、選択されたモデル画像データに対して設定されている濃度補正値に基づいて、取得した画像データに対する濃度補正を行うことを特徴とするものである。
【０００７】
この構成による画像補正装置の作用・効果を説明する。画像データ取得手段は、現像済み写真フィルムをスキャニングして、デジタルの画像データを取得することができる。取得された画像データの撮影シーンを濃度値に基づいて判断することができる。例えば、オーバー露光かアンダー露光かを判断する。この判断結果に基づいて、画像データに対する濃度補正を行うことができる。一方、この濃度補正を行うために、濃度補正値登録手段が設けられている。写真フィルムの種類毎に濃度補正値が登録されており、濃度値の異なる撮影シーン毎にモデル画像データが登録されている。例えば、オーバー撮影シーンに対するモデル画像データと、それに対する濃度補正値が登録され、アンダー撮影シーンに対するモデル画像データと、それに対する濃度補正値が登録されている。また、１種類の写真フィルムの中で、例えば、オーバー撮影シーンに対するモデル画像データは１つだけでなく、複数のモデル画像データが登録されている。これにより、同じオーバー撮影シーンに関して、種々の撮影シーンについて登録されている。従って、同じ写真フィルムであっても、さらに適切な撮影シーンに基づいた補正を行うことができる。ただし、補正を行う場合は、標準モデル画像データとして設定されたモデル画像データの濃度補正値に基づいて濃度補正が行われる。
【０００８】
従って、スキャニングしようとする写真フィルムについて、濃度補正を行う場合は、まずその写真フィルムの種類を選択しておき、さらに、適切なモデル画像データを標準モデル画像データとして選択することができる。そして、この選択した標準モデル画像データに対して設定されている濃度補正値に基づいて、濃度補正を行うことができる。その結果、撮影シーンに応じた濃度補正を行うに際して、写真フィルムの種類だけの対応ではなく、さらに多様な撮影シーンに対応することができる画像補正装置を提供することができる。
【０００９】
本発明において、モデル画像データを新規に登録するために、前記画像データ取得手段を動作させて、現像済み写真フィルムから画像データを取得するスキャニング起動手段と、
取得した画像データをモニター画面上に表示させる登録対象画像表示手段と、
表示される画像の中からモデル画像データとして登録する画像を選択するための登録画像選択手段と、
前記選択したモデル画像データに対して濃度補正値を設定するための補正値設定手段とを備えていることが好ましい。
【００１０】
この構成によれば、モデル画像データを任意に増加していくことができる。モデル画像データを新規に登録するときは、フィルムスキャナー等の画像データ取得手段を動作させて、写真フィルムから画像データを取得する。この取得された画像データは、モニター画面に表示される。表示されている画像の中からオペレータは、モデル画像データとして登録すべき画像を選択することができる。例えば、アンダー撮影シーンとして登録すべきモデル画像データを選択することができる。また、モデル画像を選択した場合には、その画像についての濃度補正値を設定することができる。このように、新規にモデル画像データを登録していけるので、種々の撮影シーンに対して容易に対応できるようになる。
【発明を実施するための最良の形態】
【００１１】
本発明に係る画像補正装置の好適な実施形態を図面を用いて説明する。図１は、本発明に係る画像補正装置１が用いられる写真処理システムの構成を示す模式図である。
【００１２】
＜写真処理システムの構成＞
この写真処理システムは、現像済み写真フィルム（ネガフィルムやポジフィルム）に形成されているコマ画像をフィルムスキャナー２によりスキャニングして電子的に読み取りデジタルの画像データを取得し、この画像データに基づいて写真プリントの作成や記憶メディアへの書き込み処理を行うことができる。また、写真プリントの作成等を行う前に、取得した画像データは一旦モニター画面に表示される。オペレータは、画面に表示される画像を見て、画質の良い写真プリントが作成されるように、画像に対する判断を行う。そして、必要に応じて画像データを補正するための補正データを設定する。例えば、色・濃度の補正や赤目補正、逆光補正等の特殊補正、トリミングなどである。このようなオペレータによる作業は、プレジャッジ作業とも呼ばれている。
【００１３】
一方、写真フィルムに形成されているコマ画像には、種々の撮影シーンが存在し、代表的には、オーバー撮影シーン、ノーマル撮影シーン、アンダー撮影シーンである。このようなコマ画像は、写真フィルムから読み取った画像データをそのまま表示させることもできるが、実際には、撮影シーンを自動検出して補正した上でモニター画面に表示させるようにしている。このようにモニターに表示させる前段階で画像データの補正を行うために、画像補正装置１が設けられている。また、かかる補正をスキャナースロープ補正と称している。
【００１４】
撮影シーンに対応した補正を行う場合、写真フィルムの種類によって異なる補正を行う必要がある。写真フィルムのメーカーやサイズの違いにより、異なる濃度補正値を用意しておく必要がある。そこで、写真フィルムのコマ画像をスキャニングする場合には、その写真フィルムの種類を検出し、検出されたフィルム種に対応した濃度補正を行うようにしている。また、同じ写真フィルムであったとしても、実行される濃度補正は常に同じではなく、変更可能に構成している。例えば、太陽光で撮影された場合と、タングステン光で撮影された場合とでは、異なる濃度補正が行われるべきである。このように、同じオーバー撮影シーンやアンダー撮影シーンでも、撮影シーンの具体的な内容（状況）により、濃度補正の内容を変えたほうが好ましい。そこで、本発明における画像補正装置は、単に写真フィルムの種類のみで濃度補正を決めるのではなく、更にその中で適切な濃度補正を行えるように構成している。
【００１５】
濃度補正を種々設定するために、オーバー、ノーマル、アンダーのモデル画像を取り込むことができ、各モデル画像について濃度補正値を設定することができる。画像がオーバーかアンダーかの識別は、その画像データが有する濃度値レベル（露光量にも対応し、画像データを構成する全画素の濃度値に基づいて決めることができる。）に基づいて判定することができる。従って、オーバー、ノーマル、アンダーの各撮影シーンについて、濃度補正値を設定すれば、濃度補正値と濃度値との関係（例えば、直線関係）を設定することができ、取り込んだ画像データの濃度値レベルを検出することで、濃度補正を行うことができる。
【００１６】
図１において、フィルムスキャナー２（画像データ取得手段に相当）は、現像済み写真フィルム（ネガフィルムやポジフィルム）に形成されているコマ画像をスキャニングして読み取ることができる。画像データ保存部３には、フィルムスキャナー１により読み取られた画像データが保存される。撮影シーン判断手段４は、読み取られた画像データの濃度値に基づいて、撮影シーンを判断する。具体的には、アンダー撮影シーン、ノーマル撮影シーン、オーバー撮影シーンについて判断することができる。例えば、予め基準となる濃度値を設定しておき、これとの大小関係に基づいて、アンダーかノーマルかを判断することができる。画像濃度補正手段５は、撮影シーンに応じた濃度補正を行う。具体的には、アンダー撮影シーンやオーバー撮影シーンが、ノーマル撮影シーンに近づくような濃度補正を行う。
【００１７】
画像濃度補正手段５が濃度補正を行う場合には、予め登録しているデータに基づいて行われる。濃度補正値は、写真フィルムの種類毎に登録することが可能であり、登録データ保存部６にそのデータ群が保存される。フィルム種検出手段７は、フィルムスキャナー１により読み取られる写真フィルムの種類を検出する機能を有する。例えば、ネガフィルムにはＤＸコードと呼ばれるバーコード情報が製造段階で形成されており、このＤＸコードを読み取ることで写真フィルムの種類を自動検出することができる。なお、ＤＸコードを有しない写真フィルムの場合は、オペレータの手動入力でフィルム種を設定し、設定したフィルム種に対応した濃度補正を行うことができる。
【００１８】
濃度補正値登録手段８は、種々の写真フィルムの撮影シーンについて濃度補正値を設定登録させる機能を提供する。具体的な登録手順は後述する。登録画像選択手段８ａは、濃度補正値を設定するためのモデル画像をオペレータに選択させる機能を提供する。登録対象画像表示手段９は、複数のモデル画像をモニター画面に表示させることができ、オペレータは、その中からモデル画像（アンダーモデル画像、ノーマルモデル画像、オーバーモデル画像）を選択することができる。モデル画像データを取得する場合も、フィルムスキャナー２を用いて写真フィルムに形成されているコマ画像を読み取り、そのコマ画像の画像データの中からモデル画像データを選択することができる。スキャニング起動手段１０は、モデル画像が形成されている写真フィルムのスキャニングを行うために、フィルムスキャナー２を起動させる機能を有する。
【００１９】
フィルム種選択手段１１は、写真フィルムのスキャニングを行う前に、スキャニング対象となる写真フィルムの種類をオペレータに選択させる手段である。モデル画像選択手段１２は、同じ写真フィルムの種類の中でも、多数のモデル画像データが登録されている場合、その中の１つを標準モデル画像データとしてオペレータに選択させる手段である。フィルム種選択手段１１やモデル画像選択手段１２にて選択（設定）した内容は、選択データ保存部１３に保存される。登録されている濃度補正値のうち、この選択された内容に対応した濃度補正値が読み出され、これに基づいて画像濃度補正手段５における補正が実行される。
【００２０】
画像処理部２０は、フィルムスキャナー２により取得した画像データに対して種々の画像処理を施す機能を有する。この画像処理作業を行うために、画像をモニター２１に表示させる。モニター２１は、表示制御手段２２により制御され、画像補正装置１によるモデル画像の登録を行う場合にも、モニター２１を介して種々の作業を行う。画像処理作業を行うときに、モニター画面に表示される画像は、画像濃度補正手段５により濃度補正がされた画像が表示される。画像処理の内容としては、色・濃度の補正や、赤目補正、逆光補正などの特殊補正、トリミングなどがある。画像処理部２０における色・濃度の補正は、画像補正装置１により行われる補正と同様である。
【００２１】
画像処理部２０において画像処理された画像データは、プリンタプロセッサー２３に転送される。プリンタプロセッサー２３は、画像露光部２３ａ、現像処理部２３ｂ、乾燥処理部２３ｃとを備えている。画像露光部２３ａは、例えば、レーザーエンジンのような露光エンジンを使用することができ、画像処理部２０から転送された画像データに基づいて、写真感光材料の乳剤面に画像を焼付露光させる。この写真感光材料は、現像処理部２３ｂにおいて現像処理された後、乾燥処理部２３ｃにて乾燥処理が施され、仕上がりの写真プリントとして装置外部に輩出されることになる。
【００２２】
フィルムスキャナー２で読み取った画像データは、写真プリントの作成以外にも、記憶メディア書き込み装置２４へのデータ書き込みにも使用される。例えば、ＣＤ−ＲやＤＶＤディスクなどに、画像データを書き込むことができる。
【００２３】
＜画像補正装置の操作手順＞
次に、画像補正装置１によりモデル画像の登録や選択を行う場合のモニター画面の構成例を説明する。図２は、写真フィルムの種類を選択するときの画面構成例である。写真フィルムの種類（サイズ）を選択するためのボタン３０が多数設けられており、いずれか１つのボタン３０をクリックする。
【００２４】
図３は、フィルム種としてネガフィルムの１３５Ｆを選択した場合の画面構成例を示す。選択したフィルム種については、表示枠３１に表示されている。モデル画像表示エリア３２には、アンダー撮影シーンに対応したモデル画像３２ｕ、ノーマル撮影シーンに対応したモデル画像３２ｎ、オーバー撮影シーンに対応したモデル画像３２ｏが表示されている。モデル画像がまったく登録されていなければ、モデル画像表示枠３１に画像は表示されない。モデル画像は、アンダー、ノーマル、オーバーを１組としてデータを登録することができる。同じ写真フィルムについて、何組でもデータを登録することができるので、フィルムスキャナー２によるスキャニングを開始する前に、どの組のデータに基づいて濃度補正を行うのかを選択しておく必要がある。選択された組に属するモデル画像が、標準モデル画像として設定される。なお、同じ写真フィルムの種類につき、登録したデータ組が複数組存在する場合、表示エリア３２に表示されるのは、一番直近に選択したモデル画像の組である。従って、特にモデル画像を選択しないのであれば、このモデル画像が標準モデル画像であり、これに基づいて濃度補正が行なわれる。
【００２５】
補正確認エリア３３には、補正後画像３３ａと補正前画像３３ｂとが並べて表示され、濃度補正の効果を確認することができる。アンダー、ノーマル、オーバーの各モデル画像について、補正確認エリア３３で効果を確認することができる。また、各モデル画像について、濃度補正値の設定等を行うことができる。係る設定を行うために、バランス調整エリア３４、コントラスト調整エリア３５、彩度調整エリア３６が設けられている。アンダー、ノーマル、オーバーの各モデル画像について、設定あるいは設定変更（一度設定したデータの修正）を行うことができる。バランス調整エリア３４では、各モデル画像について、Ｙ（イエロー）Ｍ（マゼンタ）Ｃ（シアン）Ｄ（全体濃度）の各補正値を設定入力することができる。コントラストと彩度についても、同様に補正値を設定入力することができる。
【００２６】
新たにモデル画像データの登録を行う場合には、フィルムスキャニングボタン３７をクリックする。これは、スキャニング起動手段１０に相当するものであり、これをクリックするとフィルムスキャナー２を起動させ、セットされている写真フィルムのスキャニングを行うことができる。そこで、モデル画像として読み取りたい画像が形成された写真フィルムをフィルムスキャナー２にセットし、ボタン３７をクリックすればよい。
【００２７】
登録補正値表示ボタン３８をクリックすると、別ウィンドウを立ち上げて濃度補正値を表示させる。濃度補正値の実際の数値データを表示させても良いし、濃度値と濃度補正値の関係（関数）をグラフで表示させても良い。また、複数組のデータが登録されている場合は、各組のデータを表示させることができる。また、複数組のデータが登録されている場合、どの組のモデル画像を濃度補正に使用するかを指定できるようにしてもよい。
【００２８】
図３において、スロープ選択タブ４１が設けられており、リファレンススロープかＤＸスロープかのいずれかを選択することができる。図３は、リファレンススロープを選択している状態である。スキャニングしようとしている写真フィルムにＤＸコードがない場合は、この図３の画面にて設定を行う。写真フィルムにＤＸコードがある場合は、ＤＸスロープタブ４１を選択して、設定を行う。なお、ＤＸスロープを選択した場合も、画面構成は図３に示すのと同じである。
【００２９】
Ｙｅｓボタン３９をクリックすると、現在画面に表示されているモデル画像に対して設定された濃度補正値が登録（登録データ保存部６に保存）される。Ｎｏボタン４０をクリックすると、表示されている画面を終了するし、図２の画面に戻る。
【００３０】
フィルムスキャニングボタン３７をクリックすると、図４に示すようなウィンドウが立ち上がる。このウィンドウを利用して、新たなモデル画像の選択を行うことができる。写真フィルムに形成されている多数のコマ画像の中から、アンダー、ノーマル、オーバーの各撮影シーンに対応したモデル画像を選択することができる。モデル画像表示エリア４３は、モデル画像読み取り前は空欄となっているが、読み取り後は図４に示すように、選択された各撮影シーンのモデル画像４３ｕ，４３ｎ，４３ｏが表示される。また、コマ番号選択エリア４２ｕ，４２ｎ，４２ｏが設けられており、各撮影シーン毎に個別にモデル画像をコマ番号で選択することができる。選択された画像は、モデル画像表示エリア４３に表示される。
【００３１】
ボタン４４をクリックすると、現在画面に表示されているモデル画像が標準のモデル画像として設定される。この標準モデル画像に対して設定された濃度補正値に基づいて、画像濃度補正手段５による濃度補正が行われることになる。標準モデル画像は、写真フィルムの種類毎に設定されるものである。この標準モデル画像の設定変更も任意に行うことができ、また、新たに写真フィルムをスキャニングして標準モデル画像に設定することができる。また、ボタン４４をクリックすると、設定したモデル画像が登録データ保存部６に保存され、標準モデル画像として繰り返し使用することができる。
【００３２】
ボタン４５をクリックすると、現在画面上で設定されているモデル画像と濃度補正値について、データ登録はされない。ただし、画面上で設定しているモデル画像を標準モデル画像として用いて、画像濃度補正手段５による濃度補正を行うことはできるが、１回限りの使用となる。従って、モデル画像データとその濃度補正値は、使用された後は破棄される。ボタン４６をクリックすると、スキャニングした画像はモデル画像としては使用されず、キャンセルされ、図３の画面に戻る。この場合、表示される画像は変更されない。
【００３３】
図５は、ボタン４４または４５をクリックした場合に現れる画面である。図５に示すように、モデル画像表示エリア３２に表示されるモデル画像は、図４の画面において選択した画像に入れ替わっている。これにより、標準モデル画像が変更になったことを確認することができる。また、各調整エリア３４，３５，３６において、データの設定変更をすることが可能である。データの変更を行った場合、どの程度変わるかについては、補正確認エリア３３において確認することができる。Ｙｅｓボタン３９をクリックすれば、設定変更した濃度補正値を登録することができる。
【００３４】
図４の画面で各撮影シーンの画像を選択すると、オーバーモデル画像、アンダーモデル画像については、自動的に濃度補正値が一旦設定される。図５の画面に移行すると、自動的に設定された濃度補正の効果は補正確認エリア３３で確認することができる。これを見ながら、オペレータは更に補正値を変更したい場合、エリア３４等を利用して補正値を微修正することができる。従って、エリア３４等は、画像補正装置１が自動設定した値を微修正するための入力エリアということになる。もちろん、本発明としては、これに限定されるものではなく、濃度補正値をオペレータが自由に設定できるようにしても良い。
【００３５】
＜スキャナースロープ補正の手順＞
次に、スキャナースロープ補正を行う場合の手順を図６のフローチャートにより説明する。図２に示すモニター画面を出して補正作業を開始する（＃１）。まず、図２において、フィルム種類を選択する（＃２）。オペレータがモデル画像の選択を行うかどうかを判断し（＃３）、選択しないのであれば、従来画像での補正が行われる（＃１１）。すなわち、図３の画面を開いたときに表示されるモデル画像を標準モデル画像として使用することになり、これに基づいた濃度補正が行われる。
【００３６】
ステップ＃３において、オペレータがモデル画像を選択する場合、補正を確認するためのモデル画像が未登録であるか否かを判断する（＃４）。すでに登録されている場合は、そのモデル画像を登録データ保存部６から読み出して選択し、選択されたモデル画像で補正を行う（＃１０）。ステップ＃４において、モデル画像が未登録である場合は、フィルムスキャニングボタン３７をクリックして、写真フィルムをスキャニングする（＃５）。スキャニングした画像の中から、アンダー、ノーマル、オーバーの各モデル画像を選択する（＃６）。
【００３７】
選択する画像を使用するか否かを判断し（＃７）、使用しない場合は図４のボタン４６をクリックする。この場合、ステップ＃１１に移行し、従来画像で補正を行うことになる。
【００３８】
ステップ＃７において、選択されたモデル画像を使用する場合は、モデル画像として登録するか否かを判断する（＃８）。登録する場合は、標準のモデル画像として登録され（＃９）、このモデル画像に基づいて補正される。モデル画像として登録しない場合は、ステップ＃９は行われず、直ちにステップ＃１０に移行し、選択されたモデル画像で補正が行われる。以上のようにして、スキャナースロープ補正が終了する（＃１２）。
【００３９】
＜写真フィルムスキャニング＞
次に、写真フィルム（ＤＸコードを有する場合）に形成されているコマ画像を読み取るときの手順を図７のフローチャートにより説明する。まず、読み取り対象の現像済み写真フィルムをフィルムスキャナー２にセットし、写真フィルムをスキャニングする（＃２０）。写真フィルムには、ＤＸコードが形成されており、フィルムスキャナー２によりこれを読み取る（＃２１）。読み取ったデータに基づいて、フィルムの種類を特定する。また、写真フィルムに形成されているコマ画像の画像データを取得する（＃２２）。画像補正装置１は、ＤＸコードに対応する濃度補正値のデータ（標準モデル画像データとして設定されているもの）を検索する（＃２３）。対応する濃度補正値に基づいて、画像濃度補正手段５により画像濃度補正が行われる（＃２４）。濃度補正が行われた形で画像処理部２０へと画像データが送られ、モニター２１に表示される（＃２５）。
【００４０】
なお、ＤＸコードを有さない写真フィルムの場合、リファレンススロープにおいて設定された標準モデル画像データに基づいて、濃度補正が実行される。
【００４１】
＜別実施形態＞
本発明に係る画像補正装置の構成は、本実施形態のものに限定されるものではなく、種々の変形例が可能である。また、画像補正装置が用いられる写真処理システムについても、本実施形態の構成に限定されるものではない。
【図面の簡単な説明】
【００４２】
【図１】写真処理システムの構成を示す模式図
【図２】写真フィルムの種類を選択するときの画面構成例を示す図
【図３】モデル画像の登録を行うための画面構成例を示す図
【図４】モデル画像を選択するための画面構成例を示す図
【図５】モデル画像を選択した後の図３の画面構成例を示す図
【図６】スキャナースロープ補正の手順を示すフローチャート
【図７】コマ画像を読み取るときの手順を示すフローチャート
【符号の説明】
【００４３】
１        画像補正装置
２        フィルムスキャナー
３        画像データ保存部
４        撮影シーン判断手段
５        画像濃度補正手段
６        登録データ保存部
７        フィルム種検出手段
８        濃度補正値登録手段
８ａ      登録画像選択手段
８ｂ      補正値設定手段
９        登録対象画像表示手段
１０      スキャニング起動手段
１１      フィルム種選択手段
１２      モデル画像選択手段
１３      選択データ保存部
２１      モニター
【図１】
2006186785.tif 000003
【図２】
2006186785.tif 000004
【図３】
2006186785.tif 000005
【図４】
2006186785.tif 000006
【図５】
2006186785.tif 000007
【図６】
2006186785.tif 000008
【図７】
2006186785.tif 000009